(57)【要約】【課題】多角形もしくは円形の枠に、複数の突起物を取り付け、それぞれの突起物に釣針付きのハリスを取り付け、また、枠に道糸とつながる糸を取り付けた、複数のハリスに釣針を取り付けた釣り仕掛け及び多角形もしくは円形の枠に、複数の突起物を取り付け、それぞれの突起物に、ゴム管を差し込み、また同時に釣針付きのハリスを、ゴム管に通し、突起物の付け根に釣針付きのハリスを取り付け固定し、また、枠に道糸とつながる糸を取り付けた、複数のハリスに釣針を取り付けた釣り仕掛けにおいては、ハリスの長さが長い場合、ハリスや釣針が水中で上下運動をした際、ハリスや釣針が枠の内側を通過し、ハリスや釣針が、枠や道糸とつながる糸に絡まることがあり、この欠点をなくす。【解決手段】枠を板に変える。【選択図】図１
2005218435.tif 000002
【特許請求の範囲】
【請求項１】
多角形もしくは円形の板に、複数の突起物を取り付け、それぞれの突起物に釣針付きのハリスを取り付け、また、板に道糸とつながる糸を取り付けた、複数のハリスに釣針を取り付けた釣り仕掛け。
【請求項２】
多角形もしくは円形の板に、複数の突起物を取り付け、それぞれの突起物に、ゴム管を差し込み、また同時に釣針付きのハリスを、ゴム管に通し、突起物の付け根に釣針付きのハリスを取り付け固定し、また、板に道糸とつながる糸を取り付けた、複数のハリスに釣針を取り付けた釣り仕掛け。
【発明の詳細な説明】
【技術分野】
【０００１】この発明は、複数のハリスに釣針を取り付けた釣り仕掛けに関するものである。
【背景技術】
【０００２】多角形もしくは円形の枠に、複数の突起物を取り付け、それぞれの突起物に釣針付きのハリスを取り付け、また、枠に道糸とつながる糸を取り付けた、複数のハリスに釣針を取り付けた釣り仕掛け  及び  多角形もしくは円形の枠に、複数の突起物を取り付け、それぞれの突起物に、ゴム管を差し込み、また同時に釣針付きのハリスを、ゴム管に通し、突起物の付け根に釣針付きのハリスを取り付け固定し、また、枠に道糸とつながる糸を取り付けた、複数のハリスに釣針を取り付けた釣り仕掛けは、すでに出願済みである。
（出願番号  特願２００２−２８７４９４）
【発明の開示】
【発明が解決しようとする課題】
【０００３】これらは、枠を使用している為、次のような欠点があった。
イ．ハリスの長さが長い場合、ハリスや釣針が水中で上下運動をした際、ハリスや釣針が枠の内側を通過し、ハリスや釣針が、枠や道糸とつながる糸に絡まることがあった。
本発明は、以上の欠点を解決する為になされたものである。
【課題を解決するための手段】
【０００４】枠を板に変えることにより、上記の欠点は無くなる。
【発明の効果】
【０００５】ハリスや釣針が枠の内側を通過し、ハリスや釣針が、枠や道糸とつながる糸に絡まると、魚がほとんど掛からない為、絡まったハリスや釣針を元の状態に戻し、再び釣りの動作に入らなければならなかった。枠を板に変えると、この欠点が無くなる。
【発明を実施するための最良の形態】
【０００６】以下、本発明の実施の形態について説明する。
「図１」は本発明の実施例を示す斜視図である。また、「図１」は本発明の「請求項１」に相当する。「図１」は、正三角形の板（１０）に、３つの突起物（６）を取り付けてある。そして、それぞれの突起物（６）には、釣針（３）付きのハリス（２）を取り付けてある。また、正三角形の板（１０）に道糸とつながる糸（５）を取り付けてある。さらに、オモリ（７）とかサルカン（８）等を使用すれば道糸（４）と容易につながる構造となる。尚、例えば、突起物（６）の先端部分に穴をあければ、ハリス（２）を突起物（６）に容易に固定できることになる。また、道糸とつながる糸を固定する為の穴（１１）を板（１０）に設ければ、容易に本発明を作ることができる。
「図２」は、すでに出願済みの釣り仕掛け（出願番号  特願２００２−２８７４９４）であるが、これは、板ではなく、枠（１）を使用している。「図２」は、枠（１）を使用している為、ハリス（２）の長さが長い場合、ハリス（２）や釣針（３）が水中で上下運動をした際、ハリス（２）や釣針（３）が、枠（１）の内側を通過し、ハリス（２）や釣針（３）が、枠（１）や道糸とつながる糸（５）に絡まることがあった。しかし、枠を板に変えた本発明「図１」を見ると、ハリス（２）や釣針（３）が板（１０）の内側を通過しようとした際、板（１０）が防壁となり、ハリス（２）や釣針（３）が、板（１０）にぶつかるだけで、ハリス（２）や釣針（３）が、板（１０）や道糸とつながる糸（５）に絡まることは無い。
尚、ハリスや釣針が、板や道糸とつながる糸に絡まると、魚がほとんど掛からない為、絡まったハリスや釣針を元の状態に戻し、再び釣りの動作に入らなければならない。
「図３」も、本発明の実施例を示す斜視図である。「図３」は本発明の「請求項２」に相当する。「図３」は、正三角形の板（１０）に、３つの突起物（６）を取り付けてある。そして、それぞれの突起物（６）に、突起物用ゴム管（１３）を差し込み、また同時に釣針（３）付きのハリス（２）を、突起物用ゴム管（１３）に通し、突起物（６）の付け根に釣針（３）付きのハリス（２）を取り付け固定してある。また、正三角形の板（１０）に道糸とつながる糸（５）を取り付けてある。さらにオモリ（７）とかサルカン（８）等を使用すれば、道糸（４）と容易につながる構造となる。また、道糸とつながる糸を固定する為の穴（１１）を板（１０）に設ければ、容易に本発明を作ることができる。また、突起物（６）の付け根に釣針（３）付きのハリス（２）を取り付け固定する為に、ハリスを固定する為の穴（１２）を板（１０）に設ければ、容易に本発明を作ることができる。
「図４」も、すでに出願済みの釣り仕掛け（出願番号  特願２００２−２８７４９４）であるが、これは板ではなく、枠（１）を使用している。
すでに、「図１」と「図２」を比較し述べたように、「図３」と「図４」を比較した場合でも、同様であり、枠を板に変えることにより、ハリス（２）や釣針（３）が、板（１０）の内側を通過しようとした際、板（１０）が防壁となり、ハリス（２）や釣針（３）が、板（１０）にぶつかるだけで、ハリス（２）や釣針（３）が、板（１０）や道糸とつながる糸（５）に絡まることは無い。
尚、「図３」及び「図４」では、突起物用ゴム管を使用しているが、この突起
物用ゴム管は、次のような効果がある。
イ．突起物用ゴム管の中にあるハリス部分は上下運動をすることがなく、これにより、突起物用ゴム管の外の、むき出しとなっているハリスの長さが長くなければ、釣針やハリスが、枠や板や道糸とつながる糸に絡まることを防ぐことができる。
ロ．「図３」の場合は、板に突起物を取り付けた物、「図４」の場合は、枠に突起物を取り付けた物を、金型で生産した場合、突起物の長さが長いと、板と突起物の接触面及び枠と突起物の接触面で、折れやすくなる。本考案は、根魚をねらうのに適しており、本考案品は根がかりしても十分耐えうる構造となっていないといけない。この為、突起物はできるだけ短くしたいが、かりに突起物の長さを短くした場合でも、その突起物にぴったり装着できる突起物用ゴム管を、突起物に差し込めば、水流等でゴム管が曲がらない限り、その突起物用ゴム管の長さ分、突起物としての効果が生まれる。
【図面の簡単な説明】
【０００７】
【図１】  本発明の斜視図
【図２】  すでに出願済みの釣り仕掛け
【図３】  本発明の斜視図
【図４】  すでに出願済みの釣り仕掛け
【符号の説明】
【０００８】    １    枠
２    ハリス
３    釣針
４    道糸
５    道糸とつながる糸
６    突起物
７    オモリ
８    サルカン
９    道糸とつながる糸をたばねた部分
１０  板
１１  道糸とつながる糸を固定する為の穴
１２  ハリスを固定する為の穴
１３  突起物用ゴム管
【図１】
2005218435.tif 000003
【図２】
2005218435.tif 000004
【図３】
2005218435.tif 000005
【図４】
2005218435.tif 000006